(57)【要約】【課題】  掃除機等のプラグをコンセント位置まで行くことなく抜くことができるようにする。【解決手段】  コンセントにプラグが差し込まれて構成されるコンセントへのプラグの差し込み構造において、差し込まれたプラグ１を遠隔操作により与えられた指令信号に基づいてコンセント２から離脱させるプラグ離脱手段６、７、９が備えられてなるもの。【選択図】  図１
2005222920.tif 000002
【特許請求の範囲】
【請求項１】
コンセントにプラグが差し込まれて構成されるコンセントへのプラグの差し込み構造において、
差し込まれた前記プラグを遠隔操作により与えられた指令信号に基づいて前記コンセントから離脱させるプラグ離脱手段が備えられてなることを特徴とするコンセントへのプラグ差し込み構造。
【発明の詳細な説明】
【技術分野】
【０００１】  この発明は、掃除機等のプラグのコンセントへの差し込み構造に関する。
【背景技術】
【０００２】  最近の掃除機ではコードは非使用時に掃除機内に巻き取り収納されており、使用に際して掃除機が移動される際にその移動距離に対応して延び出し、使用が終了した場合は自動的に巻き取られるようになっている。このようしてその長いコードが邪魔になることがないようにされている。
【発明の開示】
【０００３】  しかしながら、掃除の終了時にコードを巻き取らすには、いちいちコンセントのある位置まで行ってかがんでプラグを抜く必要がある。また、広いスペースを異なるコンセントにプラグを順次差し替えて掃除するような場合は、その都度プラグをコンセントの位置まで行って抜かなければならないので非常に作業性が悪いという問題があった。
【発明が解決しようとする課題】
【０００４】  この発明は、掃除機等のプラグをコンセント位置まで行くことなく抜くことができるように行なった。
【課題を解決するための手段】
【０００５】  この発明では、コンセントにプラグが差し込まれて構成されるコンセントへのプラグの差し込み構造において、差し込まれた前記プラグを遠隔操作により与えられた指令信号に基づいて前記コンセントから離脱させるプラグ離脱手段が備えられてなる構成とした。
【０００６】  上記構成によれば、遠隔操作による指令信号によりプラグ離脱手段が作動されてコンセントからプラグが離脱される。プラク離脱手段は、プラグ側、コンセント側、さらに両者と別途に適宜配置することができる。遠隔操作による指令信号は電波によって与える他、プラグが接続されるコードを介して与えてもよい。
【発明の効果】
【０００７】  この発明によれば、掃除機等使用する電気機器の位置での操作によりプラグをコンセントから抜くことができるようになり、これにより、コンセント位置まで行ってかがんでプラグを抜くという手間が省け、電気機器の使用が容易となるとともに、その作業性も向上されるようになる。
【発明を実施するための最良の形態】
【０００８】［第１の実施形態］  図１はこの発明のコンセントへのプラグの差し込み構造を示す断面図であり、図２はプラグ（図１に示す差し込み時の状態）の斜視図である。【０００９】  この実施形態のものでは、プラグ離脱手段はプラグ１側に設けられており、コンセント２は壁面４に設けられその内部に接続端子３が配置された構成となっている。プラグ１はケーシング５内の上部に作動体６が水平方向にスライド移動可能に設けられるとともに、下部にロック装置７が設けられて構成されている。作動体６には一対の接続端子８がその一部を作動体６の前面において突出するように埋設され、その接続端子８の後端は作動体６の後面に突設されるボス９内まで延出され、その後端に接続されたリード線に被覆が施されたコード１０がケーシング５の後面に形成された開口１２から外部に延出し、例えば、掃除機等の機器に接続されている。【００１０】  上記ボス９にはコイルバネ１４が外嵌され、このコイルバネ１４は常時縮み方向に付勢されていてその前端が作動体６の後面に係止されていることで、作動体６は通常は、図３に示すように、後方に引き寄せられて位置している。また、上記作動体６には両側には押込片１６それぞれが突設されていて、押込片１６それぞれはケーシング５側面に形成されるスライド開口１７から外部に突出して位置している。上記の作動体６、ロック装置７、コイルバネ１４それぞれによりプラグ離脱手段が構成される。【００１１】  ロック装置７は、図４の回路図にも示すように、内部に受信回路２０、その受信回路２０からの受信信号を受けた際ＯＮするスイッチ回路２１、そのスイッチ回路がＯＮすることで作動するソレノイド機構２２、そのソレノイド機構２２の作動用電源となるバッテッリー電池２３が設けられ、ソレノイド機構２２に連動するロック片２４が外部に突出して位置している。ロック片２４は通常はバネにより上方に付勢されて外部に突出して位置し、ソレノイド機構２２の作動に連動して下方にへこむようになっている。バッテッリー電池２３はその充電端子をロック装置７の下面に露呈しており、この充電端子にケーシング５の下面に形成された充電開口２５を通して充電磯の接続端子が接続できるようになっている。【００１２】  上記プラグ１が掃除機に接続使用される場合について、その動作を以下説明する。掃除機が使用されずプラグ１がコンセント２に接続されていない場合は、図３に示すように、接続端子８はプラグ１の前面に突出していない。したがって、接続させる際にはプラグ１の前面をコンセント２の所定位置に合わせた状態において両側に突出する押込片１６を押し込むようにし、作動体６を前進させることで接続端子８をコンセント２内に差し入れる。上記のプラグ１の前面のコンセント２への位置合わせは、コンセント２の前面板２９の位置決め段部２７に合わせるようにして行なう。そして接続端子８がさらに奥方まで差し入れられ、コンセント２側の端子３間に弾力的に挟持されるまで差し入れられた位置においてロック装置７のロック片２４がバネ付勢により上方に突出し、このロック片２４が後面に係止されることで作動体６はその位置にロックされ、図１に示すプラグ１がコンセント２に差し込み接続された状態��維持される。そして、この状態において掃除機が使用される。【００１３】  上記掃除機にはプラグ１のロック装置７にプラグ離脱用の指令電波信号を発するリモートスイッチが設けられており、掃除機の使用終了時にそのリモートスイッチの操作により発信される指令電波信号が受信回路２０で受信されると、その受信回路２０からの受信検知信号によりスイッチ回路２１がＯＮしてソレノイド機構２２が作動され、これによりロック片２４がへこむ。そしてロック片２４の係止がなくなることで作動体６がコイルバネ１４により後方に引き下げられ、接続端子８がコンセント２の接続端子３から抜けてプラグ１がコンセント２から離脱する。【００１４】  このようにして掃除機の使用者がコンセント２位置まで行くことなく、また、コンセント２位置でかがむことなく、プラグ１をコンセント２から掃除機のある位置でのスイッチ操作により抜くことができる。掃除機側のリモートスイッチは必ずしも掃除機に固定状態でなくてもよく、着脱可能な構成とされて他の電気機器において兼用される構成とされてもよい。【００１５】  この実施形態の変形例として、プラグ１のロック機構７が作動体６側に設けられ、そのロック片２４がプラグのケーシング５側に係止するものがあげられ、その場合はロック装置７のソレノイド機構２２の電源はコンセント２側から取る構成とできる。【００１６】［第２の実施形態］  図５はこの発明のコンセントへのプラグの差し込み構造を示す断面図であり、図２はコンセントの斜視図である。【００１７】  この実施形態のものでは、プラグ離脱手段はコンセント３０側に設けられており、プラグ３１は従来一般のものが使用される。コンセント３１は壁面３４に埋設され、ベース体３２内に接続端子３３、プラグ離脱手段としてのプラグ離脱装置３５が設けられ、その前面がカバー３６により覆われている。プラグ離脱装置３５からは内部のソレノイド機構に連動する離脱用レバー３７が延び出し、この離脱用レバー３７の前部３８はカバー３６の前面の、一対のプラグ差し込み穴４０間の位置に配置されている。ソレノイド機構への電源はコンセント側から与えられる。【００１８】  このような構成により、第一の実施形態のものと同様に掃除機側から離説の指令電波信号がプラグ離脱装置３５に与えられると、内部のソレノイド機構が作動することで離脱用レバー３７が前方に押し出され、この離脱用レバー３７前部３８に押されることでプラグ３１が離脱される。このようにして、第１の実施形態のものと同様の作用効果が発揮される。
【図面の簡単な説明】
【図１】  この発明の第１の実施形態の断面図
【図２】  この発明の第１の実施形態において用いられるプラグの断面図
【図３】  この発明の第１の実施形態において用いられるプラグの図２と異なる状態における断面図
【図４】  この発明の第１の実施形態におけるロック装置の回路図
【図５】  この発明の第２の実施形態の断面図
【図６】  この発明の第２の実施形態において用いられるコンセントの外観斜視図
【符号の説明】
１  プラグ
２  コンセント
６  作動体（プラグ離脱手段）
７  ロック装置（プラグ離脱手段）
１４  コイルバネ（プラグ離脱手段）
【図１】
2005222920.tif 000003
【図２】
2005222920.tif 000004
【図３】
2005222920.tif 000005
【図４】
2005222920.tif 000006
【図５】
2005222920.tif 000007
【図６】
2005222920.tif 000008